(57)【要約】  本発明は、トランプカードを配布するための組み立てユニットシステムに関し、少なくとも１つのカード取り扱いモジュール（３０，図１）とフレームモジュール（２０）とを備える。さらに、このシステムは、好ましくは電源モジュール（１９）とスコアモジュール（４０）とを備える。カード取り扱いモジュール（３０）は、他のモジュールに関連して、取替え可能な要素としての性質を有しており、実質的に回転コア（１４）を内蔵する基本的に閉じたハウジング（１６）を備える。カード取り扱いモジュール（３０）は、１組のトランプカード（１８）を受け入れることが可能に構成され、ステップモータ（９）により決定される特定の方向にトランプカードを個々に排出するための手段（１０，１１，１５）を備える。本発明によれば、回転コア（１４）は、ハウジング（１６）内で２つの対向するベアリングにより支持されており、対向するベアリング（１）を有する一方で、モータ（９）は１つのベアリングを構成している。これにより、非常に静粛でブリッジゲームのテーブルに置かれ、遊戯者に不快感を与えない機能を有する非常にコンパクトなユニットが提供される。【選択図】図１
2010509952.tif 000002
【特許請求の範囲】
【請求項１】
トランプカードを配布するための組み立てユニットシステムであって、
一度に１枚のカードを予め定められた方向に配るための配布ステーションを含むカード取り扱いモジュールと、
複数のドロワーを備え、それぞれのドロワーが前記予め定められた方向のそれぞれの位置に配置されるように前記カード取り扱いモジュールを受け入れるためのフレームモジュールと、
を備えることを特徴とするシステム。
【請求項２】
前記カード取り扱いモジュール又は前記フレームモジュール内に配置された電源モジュールをさらに備えることを特徴とする請求項１に記載のシステム。
【請求項３】
前記カード取り扱いモジュールは、情報を無線で送信するための手段を有し、カードのセットがどのように配られるべきかについての情報を記憶し、該情報を前記カード取り扱いモジュールに送信するように構成され、電子記憶部を有するプログラム可能なスコアモジュールをさらに備えることを特徴とする請求項１又は２に記載のシステム。
【請求項４】
前記スコアモジュールは、スコア情報を受信するように構成されるとともに、他のスコアモジュールと通信可能に構成されていることを特徴とする請求項３に記載のシステム。
【請求項５】
前記フレームは、テーブルの上にセットされるように構成されていることを特徴とする請求項１に記載のシステム。
【請求項６】
前記フレームは、完全にあるいは部分的にテーブルの下に配置されるように構成されていることを特徴とする請求項１に記載のシステム。
【請求項７】
前記フレームは、テーブルに一体化された部分であることを特徴とする請求項１に記載のシステム。
【請求項８】
前記フレームは、前記カード取り扱いモジュールにより分配されたトランプカードを受け入れる４つの開閉可能な空間を有することを特徴とする請求項５乃至７のいずれか１項に記載のシステム。
【請求項９】
前記フレームは、上部に前記カード取り扱いモジュールを挿入及び取り外しするための開口部を有することを特徴とする請求項５乃至８のいずれか１項に記載のシステム。
【請求項１０】
前記開口部は、開閉可能な蓋を有することを特徴とする請求項９に記載のシステム。
【請求項１１】
前記ハウジングは、防音性であることを特徴とする請求項５乃至１０のいずれか１項に記載のシステム。
【請求項１２】
請求項１乃至１１のいずれか１項に記載の組み立てユニットシステムに用いられるカード取り扱いモジュールであり、それぞれのトランプカードが読み取り可能なコードを有する１組のトランプカードを収容するための回転可能なカードカートリッジと、前記コードを読み取るとともに、制御ユニットに記憶されている情報の項目に応答して一枚のカードを排出するための手段と、前記制御ユニットに記憶されている情報に応答して、前記カートリッジを回転させて複数の回転角度位置に位置決めするためのモータとを備えるカード取り扱いモジュールであって、
ハウジング内で回転可能に支持された回転体を収納するように閉じられ、固定された外側ハウジングを備え、前記回転体は、前記カートリッジと、トランプカードを読み取るとともに排出する手段と、前記制御ユニットと前記モータとを有し、前記ハウジングは、トランプカードを挿入するための開口部と、前記複数の角度位置でトランプカードの通路となるための開口部とを備えることを特徴とするカード取り扱いモジュール。
【請求項１３】
前記モータはステップモータであることを特徴とする請求項１２に記載のモジュール。
【請求項１４】
前記モータは前記回転体を連続的に回転させるように構成されていることを特徴とする請求項１３に記載のモジュール。
【請求項１５】
前記ハウジングは、前記ハウジングモジュール内に配置されたバッテリーに接続されるように構成されるとともに、前記ベアリングの一つを介して前記回転体に電力を送るように構成されていることを特徴とする請求項１２乃至１４のいずれか１項に記載のモジュール。
【請求項１６】
前記カードの上の前記コードを読み取るための手段は、前記読み取り手段と前記カードが互いに相対的に移動することなくカードを読み取るように構成されていることを特徴とする請求項１２乃至１５のいずれか１項に記載のモジュール。
【請求項１７】
前記カードの上の前記コードを読み取るための手段は、前記カードの上の前記コードを完全にカバーする静止した検出器のグループを備えることを特徴とする請求項１６に記載のモジュール。
【発明の詳細な説明】
【技術分野】
【０００１】
本発明は、トランプのカードを配るための組み立てユニットシステムに関し、例えばトランプカードを４つの山に分け、それぞれの１つの山をブリッジテーブルに着いているそれぞれの遊戯者に配布する組み立てユニットシステムに関する。本発明は、ブリッジゲームにおけるカードの配布に限定されるものではないが、より具体的には、本発明は、例えば複数のブリッジゲームを同時に行ったりバロメータートーナメントを行ったりするトーナメントにおけるブリッジゲームに特に適した柔軟性のあるシステムを可能とする。そのような用途では、特にトーナメントのためにカードを積み上げる場合に問題がある。
【背景技術】
【０００２】
仏国特許出願公開第２５７６５１８号公報は、トランプカードを配る装置について開示している。
【先行技術文献】
【特許文献】
【０００３】
【特許文献１】仏国特許出願公開第２５７６５１８号公報
【発明の概要】
【発明が解決しようとする課題】
【０００４】
この装置は、大きく重く、かなりの騒音を発し、このことは、この装置が背後に配置された部屋に設置され、後にカードが人手により複数のカードフォルダーに搬送され、遊戯室に持ち込まれるような用途に適している。大きなトーナメントの場合は、この人手によるカードの取り扱いが適切に行われるかどうかに大きな注意が払われ、面倒な安全対策を行うことが重要となる。
【０００５】
本発明は、上記の問題点を解決しつつ、柔軟性のある、つまり大きいトーナメントや小さいトーナメントの双方に適合し、また値段の観点から見ても個人の使用にも適した組み立て体システムを提供することを目的とする。
【課題を解決するための手段】
【０００６】
この目的は、
一度に１枚のカードを予め定められた方向に配るための配布ステーションを含むカード取り扱いモジュールと、
複数のドロワーを備え、それぞれのドロワーが前記予め定められた方向のそれぞれの位置に配置されるように前記カード取り扱いモジュールを受け入れるためのフレームモジュールと、
を備えるシステムにより達成される。
【０００７】
このように、本発明に係わるシステムは、少なくとも２つのモジュールから構成され、カード取り扱いモジュールは、比較的複雑で高価であり、一方フレームモジュールは、いくらか大きく、比較的安価である。規模の大きいブリッジトーナメントでは、本発明の組み立てユニットシステムがゲームの間ブリッジテーブル上に設置されていることが重要であり、２５台のテーブルがあるゲームルームを考えると、盗難を避けるために、２５台の大きなフレームあるいはテーブルをロックしなければならないことは不便である。本発明によれば、カード取り扱いモジュールは、予め迅速に取り外され、ロック可能な戸棚に収納される。
【０００８】
この結果、いくつかのフレームが提供され得る。いくつかのフレームは、テーブルの上に置かれ、好ましくはテーブルに装着されることが意図され、レストランやクルーザーでは、非常に個人的な用途で、必要に応じて内部にカード分配モジュールが配置されるフレームとテーブルが組み合わされる。
【０００９】
ゲームルームで一度にゲームが行われるたくさんのテーブルがあってカード取り扱いモジュールが壊れた場合には、システム全体を取り替えるよりもカード取り扱いモジュールを単に交換する方がかなり容易であり、テーブルにフレームが固着されあるいは少なくとも取り付けられている場合には特にそうである。相対的に大きい、取り付けられたフレームは、高い静粛性効果があり、これはゲーム中でのシステムの採用に当たって非常に重要である。
【００１０】
このシステムは、また、カード取り扱いモジュール又はフレームモジュール内に配置された電源モジュールをさらに備える。電源モジュールは、変圧器、通常のバッテリー、あるいは充電可能なバッテリーでよく、そのため、本発明のシステムは、電源モジュールを他のモジュールの一つに容易に挿入し、取り外すことができるようにすることで、非常に柔軟性を持たせることができる。
【００１１】
本発明のシステムは、１組のカードがどのように扱われるべきかという情報を記憶し、その情報を、通信できるように構成されたカード取り扱いモジュールに送信するように構成され、電子記憶部を有するスコアモジュールをさらに備える。さらに、スコアモジュールは、終了したゲームについてスコア情報を受信することが可能に構成されるとともに、他のスコアモジュールと通信可能に構成され、これにより、トーナメント及びスコアが電気的に処理されることができる。適切なデータ処理装置により、複数のブリッジゲームとバロメータートーナメントを開催できる。
【００１２】
好ましくは、フレームはその上部にカード取り扱いモジュールを受け入れたり取り外したりするための開口部を有し、その形状を円形にするために、カード取り扱いモジュールは典型的には円筒形状である。できるだけ騒音を小さくするため、フレームは開閉可能な蓋を有することが好ましく、既に述べたように、その重量、カードテーブルへの取り付け、あるいは他の静音化手段により付加的に静音化される。
【００１３】
本発明は、また、それぞれのトランプカードが読み取り可能なコードを有する１組のトランプカードを収容するための回転可能なカードカートリッジと、前記コードを読み取るとともに、制御ユニットに記憶されている情報の項目に応答して一枚のカードを排出するための手段と、前記制御ユニットに記憶されている情報に応答して、前記カートリッジを回転させて複数の回転角度位置に位置決めするためのモータとを備えるカード取り扱いモジュールに関する。
【００１４】
カード取り扱いモジュールは、ハウジング内で回転可能に支持された回転体を収納するように閉じられ、固定された外側ハウジングを備え、前記回転体は、前記カートリッジと、トランプカードを読み取るとともに排出する手段と、前記制御ユニットと前記モータとを有し、前記ハウジングは、トランプカードを挿入するための開口部と、前記複数の角度位置でトランプカードの通路となるための開口部とを備える。
【００１５】
外側ハウジングは、カード取り扱いモジュールが種々のフレームの間で容易に移動可能であり、回転体がバランスされ、非常に弱い振動を発生しながら回転されることができることを意味する。ハウジングを僅かに頑丈に重くすることにより、回転体を底部のベアリングを介して非常に安定化させ、更なる消音効果を提供することができる。モータはステップモータでよく、あるいは、回転体を連続的に回転させるように構成されてもよい。
【００１６】
好ましくは、ハウジングはフレームモジュールの中でバッテリーと接続されるように構成され、上記のベアリングの一つを介して回転体に電力を伝達できるように構成される。これにより、回転体が自身を重くする電源を含むことが避けられ、従って、より多くの電力を必要としたり、より重い振動を生成したりすることが防止される。
【００１７】
カード取り扱いモジュールは、他の方法により、電力消費と振動を抑制するためにコンパクトに作られてもよい。すなわち、カード取り扱いモジュールの比較的小さい直径の縮小は、比較的大きい慣性モーメントの低下を伴うことは明らかであり、そのために、カード取り扱いモジュールはその直径をできる限り小さく構成されなければならない。このことは、トランプカードのコードを読み取る手段がコードが読み取られる前にトランプカードが移動しなければならないことを前提としないことにより達成される。読み取り手段を、カード上のコードを完全にカバーする静止した検出器のグループを備えるように構成することにより、カードの移動なしにコードを読み取ることができる。
【００１８】
本発明は、図面を参照した以下の実施形態の説明により、より詳細に説明される。
【図面の簡単な説明】
【００１９】
【図１】本発明に係わるカード取り扱いモジュールとフレームモジュールの実施形態を模式的に示す図である。
【図２】テーブル上に配置された、本発明に係わる組み立てユニットシステムの実施形態を示す図である。
【図３】テーブルの下に配置された、本発明に係わる組み立てユニットシステムの更なる実施形態を示す図である。
【発明を実施するための形態】
【００２０】
まず、図１を参照して、カード取り扱いモジュール３０と、フレームモジュール２０について、予備的に説明する。次に、いろいろなモジュールユニットの構成について図２及び図３を参照して説明する。最後に、図に示されるモジュール２０とモジュール３０についてより詳細に説明する。
【００２１】
カード取り扱いモジュール３０は、回転する回転コア１４を有する硬質なハウジング１６を備える。カード取り扱いモジュール３０は、一組のトランプカード１８を受け入れ可能に構成され、トランプカードを１枚ずつ特定の方向に排出するための、後述する手段を備える。その特定の方向は、回転モータ９により変更され、回転モータ９は、ブリッジゲームが北、南、東、西で示される遊戯者で行われる場合、４つの異なる方向にカードを配ることができるように回転コア１４を制御可能に構成されている。排出手段とモータを適切に制御することにより、カードは、カードの山を受け入れるための開口をさらに備えるハウジング１６の４つのスロットを通過して４つの異なる方向に配られる。
【００２２】
図１における点線は、本発明に係わるフレームモジュール２０の実施形態を示し、フレームモジュール２０は、カード取り扱いモジュール３０を完全に覆うことが可能である。フレームモジュール２０は、蓋２２のような別の開閉可能な開口を有しており、蓋２２は、カード取り扱いモジュール３０を交換する場合、あるいは１組のトランプカードを回転コア１４に挿入する場合に用いられる。さらに、フレームモジュール２０は、北、南、東、西のそれぞれの方向に４つの開口を備え、符号２１は、カード収納室の蓋を示している。
【００２３】
フレームモジュール２０は内部に電源モジュール１９をさらに備えると共に、図２に示されるように、Ｉ／Ｏポート５によりスコアモジュール４０に接続される。
【００２４】
図２は、上記のモジュールの使用方法を示す。カード取り扱いモジュール３０は、図示されるようにカードを配るための通路となる４つの開口を有するハウジング１６を備え、ここでは、開口２３，２４が示されている。
【００２５】
本発明の組み立てユニットシステムは、使用状態では、カード取り扱いモジュール３０が図示されるフレームモジュール２０に収納され、その後に蓋が閉じられる。以下にさらに詳細に説明されるように、カード取り扱いモジュール３０は、カードを４つの異なるカード収納室に供給し、ここでは、カード収納室２５が閉じられた状態に示されており、また、例えばブリッジの遊戯者が用いる１３枚のカードを遊戯者の手により取り出せるようにカード収納室２６が開いた状態に示されている。
【００２６】
図２は、どのようにカードが配られるべきかという情報を収容した、コンピュータ、携帯電話、ＰＤＡ等の任意の電子機器であるスコアモジュール４０も示している。上記の情報は、以下に記載されるように、カード取り扱いモジュール３０に転送される。さらに、ゲームが終わったときに、結果の迅速な計算を可能にするように、得点及びゲーム結果の情報をコード化することが可能であり、スコアモジュール４０は、好ましくは無線で、他の対応するモジュール及び／又は多くの遊戯者が集まっている遊技場の中央計算モジュールと通信できるように構成されている。スコアモジュール４０は、また、同じ場所に集まらなくても世界中の他の人と互いにゲームができるように、インターネットサーバーと通信できるようにされていても良い。
【００２７】
図１に示されるように、コンセントの電源を直接的又は間接的に充電可能な電源モジュール１９を介して供給するために変圧器を有するフレームモジュール２０に、通常のコンセントの電圧を接続することも可能である。また、通常のバッテリーを備え、電源モジュールを交換可能なモジュールとして構成することにより、本発明のシステムを、異なる環境で問題なく使用できるようにしても良い。
【００２８】
後者の柔軟性は、電源モジュール１９に限定されるものではない。このシステムの主要な利点は、既に述べたようにシステムが複数のモジュールに分割されており、複数のモジュールがいろいろに構成され、いろいろな方法で互いに接続されることである。図３は、カード取り扱いモジュール３０が、どのようにして、それぞれの遊戯者へカードのセットを搬送する手段を備えるテーブルの下方に配置できるかを示す例である。図３において、上記でフレームモジュール２０として示される要素がテーブルの下方に配置されており、ここでは３５で示されている。フレームモジュールは、トランプカードのセットをフレームモジュールからテーブルの縁に向かって移動させるために、モーター３７によってフレーム３５からテーブルの縁に運ばれるトレイを受け入れるための複数のコンベアチャネル３６に接続されている。１つの実施形態では、フレームモジュール３５は、チャネル３６とモーター３７に接続され得る。
【００２９】
図３に示される実施形態は、相対的に高価な実施形態を示しているが、その代わりに、本発明に係わる個々のモジュールの概念的な開発を提供する。これは、蓋２２が特に消音効果を持つようにすることができ、通路３６がオプションとして接続されるフレームモジュール３５が比較的重く、本発明によるシステムが略完全に静粛に動作することが可能であり、従って遊戯者に不快感を与えないという事実による。もし、カード取り扱いモジュール３０がゲーム中に壊れた場合、正常に動作するカード取り扱いモジュールに即座に交換することができる。テーブル全体を交換することは必要ない。テーブルの下方でトランプを搬送する手段に関して問題が発生した場合には、カード取り扱いモジュール３０を取り外し、図２に示すようにフレームモジュール２０をテーブルの上に置き、その後にカード取り扱いモジュールを設置しなおすというオプションもある。このような設置しなおしに関してカード取り扱いモジュール３０を再プログラムする必要が無い。
【００３０】
本発明に係わるシステムは、図２及び図３に示される実施形態に限定されるものではなく、システムがどのように使用されるかに応じて、個々のモジュールが多くの異なる方法で接続され、多くの異なる実施形態が可能であることが理解される。このシステムの使用方法は、図１に示される構成で使用されるだけでなく、自宅又はブリッジクラブでも使用され得る。ブリッジクラブでは、図３に示されるようなテーブルが複数配置され、複数のモジュールが必要に応じて使用される複数のカード取り扱いモジュール３０を備えることが考えられる。またブリッジクラブでは、ゲームが行われる夜の前に、フレームモジュール２０の中に配置される複数の電源モジュール１９を充電するための、充電器を備えることも考えられる。
【００３１】
ここで、図１に示されるカード取り扱いモジュール３０の詳細について説明する。
【００３２】
モータは、磁気ロータがコイルの位置によって決められる所定の角度位置に調節されるように制御されるために、それぞれ別々に電力が供給される複数のコイルを備えるステップモータであり得る。トランプを４人の遊戯者に配布するために、モータは４つの角度位置を備え得る。その角度は、制御ユニット４により制御されるコイル電流により決定される。適切なモータは、例えばFaulhaber-GroupのＦＴＢゲーエムベーハーの１２シリーズ又は２００８シリーズなどである。
【００３３】
符号４は、制御コンピュータを示し、制御コンピュータ４は、カード取り扱いモジュール３０に情報を送ることが可能なプラグ５に接続された赤外線カップリング３を介して情報を受け取ることが可能である。好適な実施形態では、その情報は、図２に４０で示されたスコアモジュールにより転送される。従って、電源が外部から供給される場合には、電源モジュール１９もまたプラグ接続５に接続され得ることが理解される。あるいは、電源モジュール１９は、カード取り扱いモジュールの他の全ての電力消費部品に接続される。
【００３４】
個々のトランプカードは、トランプカードの端部にぶつかる衝突面１１を有する板部材を動作させるリニアモータ１５により、カード取り扱いモジュール３０から押し出される。リニアモータ１５がカードを所定距離移動させると、カードは、モータ駆動の圧力ホイール７とセンサを有する圧力ホイール８の間に挟まれる。後者の部品７と８は、カード取り扱いモジュールにおける２３で示されるスロットを通して、カードをドロワー２５に向かって排出する。
【００３５】
このようにして、カードの取り扱いは、バーコードリーダー１０により読み取られるバーコードを有するそれぞれのトランプカードに対して行われる。もし、ハートのキングが検出されると、その情報は、コンピュータ４に送られ、ハートのキングが東の位置にいる遊戯者に配られるという情報をコード化する。回転モータ９によって、カード取り扱いモジュール３０は、東の方向に面するドロワー２５あるいは２６に回転コア１４の開口部が向くように、回転される。そして、リニアモータ１５とローラー７，８によってカードが押し出される。そして、次のカードが読み取られる等の動作が行われる。
【００３６】
回転コア１４は、素早く、より信頼性のある動作、あるいはユーザに対する装置の使いやすさの向上のために、他のいくつかの検出器を備えていてもよい。符号２は、カードが正しく配られたことをユーザに知らせるセンサーを示し、符号１２は、カードドロワーの状態を読み取る他のセンサーを示す。
【００３７】
ノイズのレベルを、実用上気にならないレベルまで低下させるために、回転コアの重量と半径をできるだけ小さくすることも考えられる。これは、バーコードリーダーに対して相対的にトランプカードを移動させることなくバーコード全体を読み取ることができる個々のバーコードリーダーの配列をバーコードリーダー１０が備えることにより達成される。これにより、トランプカードの回転コア１４内での半径方向の動きが短縮され、回転コアの直径を小さくすることができる。
【００３８】
カード取り扱いモジュールは、既に述べたように、基本的に、動作中のノイズレベルを低下させることに貢献するハウジング１６に覆われている。ハウジング１６とフレームモジュール２０の双方は、本発明のシステムが遊戯者に不快を感じさせたり気を散らさせたりすることがない様に、特別なノイズ低減基準を備えている。従って、本発明のシステムは、トランプカードのテーブルにおいて、本技術分野の柔軟な利用に対して全く新しい選択を可能とする。
【００３９】
既に述べたように、スコアモジュール４０は、全ての他のスコアモジュールと好ましくは無線で通信可能であり、全てのモジュールは、それぞれのテーブルにおいてカードがどのように扱われるべきであるかという情報を発し、ゲームの結果についての情報を受信し、結果のリストを計算することが可能である中央コンピュータと通信可能である。
【００４０】
全てのこれらの利点は、ゲームテーブルで配られるカードの上記のような可能性に依存しており、そのような要求は、本発明に係わる組み立てユニットシステムにより解決され、そしてそのような方法で、本発明のシステムは、使用方法及び値段の点で自由度が高い。
【図１】
2010509952.tif 000003
【図２】
2010509952.tif 000004
【図３】
2010509952.tif 000005
【手続補正書】
【提出日】平成20年11月8日(2008.11.8)
【手続補正１】
【補正対象書類名】特許請求の範囲
【補正対象項目名】全文
【補正方法】変更
【補正の内容】
【特許請求の範囲】
【請求項１】
トランプカードを配布するための組み立てユニットシステムであって、
一度に１枚のカードを予め定められた方向に排出するための配布ステーションを含むカード取り扱いモジュール（３０）と、
複数のカード収納室（２６，３６）を備え、それぞれのカード収納室（２６，３６）が前記予め定められた方向のそれぞれの位置に配置されるように、前記カード取り扱いモジュール（３０）を受け入れるように構成されたフレームモジュール（２０）であって、前記カード取り扱いモジュールが容易に前記フレームモジュールから取り外されることが可能にされたフレームモジュールとを備え、
前記フレームモジュール（２０）は、その上部に、前記カード取り扱いモジュール（３０）を挿入し、また取り外すための開口部を有することを特徴とするシステム。
【請求項２】
前記カード取り扱いモジュール（３０）又は前記フレームモジュール（２０）内に配置されるように構成された電源モジュール（１９）をさらに備えることを特徴とする請求項１に記載のシステム。
【請求項３】
前記カード取り扱いモジュール（２０）は、情報を無線で送信するための手段を有し、カードのセット（１８）がどのように配られるべきかについての情報を記憶し、該情報を前記カード取り扱いモジュール（３０）に送信するように構成され、電子記憶部を有するプログラム可能なスコアモジュール（４０）をさらに備えることを特徴とする請求項１又は２に記載のシステム。
【請求項４】
前記スコアモジュール（４０）は、スコア情報を受信するように構成されるとともに、他のスコアモジュールと通信可能に構成されていることを特徴とする請求項３に記載のシステム。
【請求項５】
前記フレームモジュール（２０）は、テーブルの上にセットされるように構成されていることを特徴とする請求項１に記載のシステム。
【請求項６】
前記フレームモジュール（２０）は、完全にあるいは部分的にテーブルの下に配置されるように構成されていることを特徴とする請求項１に記載のシステム。
【請求項７】
前記フレームモジュール（２０）は、テーブルに一体化された部分であることを特徴とする請求項１に記載のシステム。
【請求項８】
前記フレームモジュール（２０）は、前記カード取り扱いモジュールにより分配されたトランプカードを受け入れる４つの開閉可能な空間（２５，２６）を有することを特徴とする請求項５乃至７のいずれか１項に記載のシステム。
【請求項９】
前記開口部は、開閉可能な蓋を有することを特徴とする請求項１に記載のシステム。
【請求項１０】
前記フレームモジュール（２０）は、防音性であることを特徴とする請求項５乃至９のいずれか１項に記載のシステム。
【請求項１１】
請求項１乃至１０のいずれか１項に記載の組み立てユニットシステムに用いられるカード取り扱いモジュール（３０）であり、それぞれのトランプカードが読み取り可能なコードを有する１組のトランプカード（１８）を収容するための回転コア（１４）と、前記コードを読み取るとともに、制御ユニット（４）に記憶されている情報の項目に応答して一枚のカードを排出するための手段（１０，１５）と、前記制御ユニットに記憶されている情報に応答して、前記カートリッジを回転させて位置決めするためのモータ（９）とを備えるカード取り扱いモジュールであって、
ハウジング内で４つの角度位置を有するモータ（９）により回転可能に支持された回転コア（１４）を収納するように閉じられ、固定された外側ハウジング（１６）を備え、前記回転コアは、トランプカードを読み取るとともに排出する手段（１０，１５）と、前記制御ユニット（４）と、前記モータ（９）とを有し、前記ハウジング（１６）は、トランプカードを挿入するための開口部と、前記複数の角度位置でトランプカードの通路（６）となるための開口部とを備えることを特徴とするカード取り扱いモジュール。
【請求項１２】
前記モータ（９）はステップモータであることを特徴とする請求項１１に記載のモジュール。
【請求項１３】
前記ハウジング（１６）は、前記ハウジングモジュール内に配置されたバッテリーに接続されるように構成されるとともに、前記ベアリングの一つを介して前記回転コア（１４）に電力を送るように構成されていることを特徴とする請求項１１又は１２に記載のモジュール。
【請求項１４】
前記カードの上の前記コードを読み取るための手段（１０）は、前記読み取り手段と前記カードが互いに相対的に移動することなくカードを読み取るように構成されていることを特徴とする請求項１１乃至１３のいずれか１項に記載のモジュール。
【請求項１５】
前記カードの上の前記コードを読み取るための手段は、前記カードの上の前記コードを完全にカバーする静止した検出器のグループを備えることを特徴とする請求項１４に記載のモジュール。
【請求項１６】
前記ハウジング（１６）は、防音性であることを特徴とする請求項１１乃至１５のいずれか１項に記載のモジュール。
【国際調査報告】
2010509952.tif 000006
2010509952.tif 000007
2010509952.tif 000008
2010509952.tif 000009
2010509952.tif 000010